(57)【要約】【課題】通信ネットワークを介して利用者の運動能力の維持・向上を利用者の画像を見ながら遠隔地において指導者が指導できる遠隔運動指導システムを提供する。【解決手段】利用者端末１０と、撮影手段１１と、指導者端末２０と、サーバ３０とが、それぞれ通信ネットワークＮを介して互いに接続されている。撮影手段１１によって利用者の動きを撮影し、この撮像情報が基準運動能力情報と共に利用者端末１０及び指導者端末２０に表示される。指導者は、指導者端末２０に表示された撮像情報を基準運動能力情報も参照しながら遠隔地から使用者へ運動方法等を指導し、利用者は、利用者端末１０に表示された撮像情報及び基準運動能力情報を確認しながら、指導者の指導に基づいて運動を行うことができる。【選択図】図１
2019109612.tif 000002
【特許請求の範囲】
【請求項１】
利用者が使用する利用者端末と、
利用者の動きを撮影する撮影手段と、
指導者が使用する指導者端末と、
種々の情報を記憶・演算・処理するサーバとを有し、
前記利用者端末、前記撮影手段、前記指導者端末、及び前記サーバが、それぞれ通信ネットワークを介して互いに接続された、遠隔運動指導システムであって、
前記サーバは、
前記撮影手段によって撮影された画像情報を記憶する撮像記憶手段と、
年齢等に応じた平均的な運動能力である基準運能力情報を予め記憶している基準運動能力記憶手段と、
前記撮像情報及び前記基準運動能力情報を、前記通信ネットワークを介して前記指導者端末及び前記利用者端末へ同時に送信する送信手段とを含み、
前記利用者端末及び前記指導者端末は、前記サーバから送信された各情報を表示する表示手段を含み、
前記撮影手段によって利用者の動きを撮影し、この撮像情報が前記基準運動能力情報と共に前記利用者端末及び前記指導者端末へ送信され、指導者は、前記指導者端末に表示された前記撮像情報を前記基準運動能力情報も参照しながら前記通信ネットワークを介して遠隔地から使用者へ運動方法等を指導し、前記利用者は、前記利用者端末に表示された前記撮像情報及び前記基準運動能力情報を確認しながら、指導者の指導に基づいて運動を行う、遠隔運動指導システム。
【請求項２】
前記サーバは、前記撮像情報と前記基準運動能力情報とを比較し、その比較情報を前記通信ネットワークを介して前記利用者端末及び前記指導者端末へ通知する比較情報通知手段を備える、請求項１に記載の遠隔運動指導システム。
【請求項３】
前記使用者端末と前記指導者端末は、前記通信ネットワークを介して音声通話可能な、請求項１または請求項２のいずれかに記載の遠隔運動指導システム。
【請求項４】
前記撮影手段は、前記使用者端末に内蔵されている、請求項１ないし請求項３のいずれかに記載の遠隔運動指導システム。
【請求項５】
前記比較情報通知手段は、前記撮像情報と前記基準運動能力情報との差分に基づき、使用者の運動能力レベルとして通知する、請求項２ないし請求項４のいずれかに記載の遠隔運動指導システム。
【請求項６】
使用者は、身体に複数のマーキングポイントを付けた状態で撮像し、
前記比較情報通知手段は、前記マーキングポイントの動きによって差分を算出する、請求項２ないし請求項５のいずれかに記載の遠隔運動指導システム。
【発明の詳細な説明】
【技術分野】
【０００１】
本発明は、通信ネットワークを介して利用者の筋力や体力等の運動能力の維持・向上を利用者の画像を見ながら遠隔地において指導できる遠隔運動指導システムに関する。
【背景技術】
【０００２】
人は加齢に伴い筋力や体力などの運動能力が低下する。運動能力の低下は日常生活に大きく影響し、徐々に行動障害が生じてくる。特に高齢者は運動能力の低下が顕著であり、歩行、階段の昇降、立ったり座ったり等の姿勢変更・荷物の上げ下ろしや運搬など、日常生活における基本的動作でも困難になってくる。このように運動能力が低下すると、転倒等に基づき打撲や骨折など怪我をする危険性が高まるばかりか、寿命にも影響し得る。
【０００３】
そのため、従来から、特に高齢者に対して運動能力の維持、低下した運動能力の回復向上の重要性が注目されている。しかし、運動に関する専門的知識に乏しい高齢者が自ら運動能力の維持・向上を図ることは困難である、したがって、利用者は何らかの指標や運動モデルを参照しなければ、適切に運動能力を維持ないし回復向上することはできない。
【０００４】
そこで、専門的知識に乏しい利用者でも、モデル動作を参照しながら自ら運動能力の維持ないし向上を図ることができる運動支援システムとして、例えば下記特許文献１が開示されている。特許文献１は、利用者を撮像する撮影手段と、複数組の画像が記憶された記憶手段と、記憶手段に記憶された複数組の画像を予め設定された順に読み出す制御手段と、撮影手段で撮像された画像と制御手段により記憶手段から読み出された画像とを表示する表示手段とを有する。
【先行技術文献】
【特許文献】
【０００５】
【特許文献１】特開平８−２１５１７７公報
【発明の概要】
【発明が解決しようとする課題】
【０００６】
しかしながら、特許文献１では自らの撮像情報と予め記憶されている基準指標動作とを対比しながら行うが、あくまで利用者自らが一人で運動することを前提とした運動支援システムである。したがって、専門的知識を有する医者やトレーナーなどの指導者から直接指導を受けることができない。これでは、どのようにすれば基準指標動作と同じ動きができるか、各動作において気をつけるべきポイント、現状の運動レベルに応じたアドバイスなどの指導を受けられないため、運動能力を維持ないし向上する実効性に欠ける。
【０００７】
しかし、高齢者等の運動弱者が専門知識を有する指導者の元に出向いて指導を受けたり、逆に指導者が高齢者の元に出向くことは煩雑である。
【０００８】
そこで、本発明は上記課題を解決するものであって、通信ネットワークを介して利用者の筋力や体力等の運動能力の維持・向上を利用者の画像を見ながら遠隔地において指導者が指導できる遠隔運動指導システムを提供することを目的とする。
【課題を解決するための手段】
【０００９】
そのための手段として、本発明は、利用者が使用する利用者端末と、利用者の動きを撮影する撮影手段と、指導者が使用する指導者端末と、種々の情報を記憶・演算・処理するサーバとを有し、前記利用者端末、前記撮影手段、前記指導者端末、及び前記サーバが、それぞれ通信ネットワークを介して互いに接続された、遠隔運動指導システムである。前記サーバは、前記撮影手段によって撮影された画像情報を記憶する撮像記憶手段と、年齢等に応じた平均的な運動能力である基準運能力情報を予め記憶している基準運動能力記憶手段と、前記撮像情報及び前記基準運動能力情報を、前記通信ネットワークを介して前記指導者端末及び前記利用者端末へ同時に送信する送信手段とを含む。前記利用者端末及び前記指導者端末は、前記サーバから送信された各情報を表示する表示手段を含む。そのうえで、前記撮影手段によって利用者の動きを撮影し、この撮像情報が前記基準運動能力情報と共に前記利用者端末及前記指導者端末へ送信され、指導者は、前記指導者端末に表示された前記撮像情報を前記基準運動能力情報も参照しながら前記通信ネットワークを介して遠隔地から使用者へ運動方法等を指導し、前記利用者は、前記利用者端末に表示された前記撮像情報及び前記基準運動能力情報を確認しながら、指導者の指導に基づいて運動を行うことができる。
【００１０】
前記サーバは、前記撮像情報と前記基準運動能力情報とを比較し、その比較情報を前記通信ネットワークを介して前記利用者端末及び前記指導者端末へ通知する比較情報通知手段を備えることが好ましい。
【００１１】
前記使用者端末と前記指導者端末は、前記通信ネットワークを介して音声通話可能であることがこのましい。
【００１２】
前記撮影手段は、前記使用者端末に内蔵されていることが好ましい。
【００１３】
前記比較情報通知手段は、前記撮像情報と前記基準運動能力情報との差分に基づき、使用者の運動能力レベルとして通知することが好ましい。
【００１４】
使用者は、身体に複数のマーキングポイントを付けた状態で撮像し、前記比較情報通知手段は、前記マーキングポイントの動きによって差分を算出することが好ましい。
【発明の効果】
【００１５】
本発明の遠隔運動指導システムによれば、筋力や体力等の運動能力の維持、回復、又は向上が必要な利用者が、自らの動きや基準運動能力情報を画像として比較参照しながら、通信ネットワークを介して遠隔地にいる専門的知識を有する指導者の指導も受けながら運動することができる。したがって、利用者が指導者の元へ出向いたり、指導者が利用者の下へ出張するなどの移動を必要とせず、手軽に運動することができる。また、指導者の指導をリアルタイムで受けられるので、間違った動作や実効性に欠ける動作を行うことを避けられるばかりか、どのようにすれば基準運動と同じ動きができるか、各動作において気をつけるべきポイント、現状の運動レベルに応じたアドバイスなどを受けられるため、運動能力の維持、回復、又は向上を適切且つ効率よく図ることができる。
【００１６】
利用者の撮像情報と基準運動能力情報との比較情報を利用者及び指導者が確認しながら行えば、現状の運動能力レベルに応じた指導を行い易く、指導の的確性や実効性が向上する。
【００１７】
使用者端末と指導者端末が通信ネットワークを介して音声通話可能であれば、わざわざ電話をかけたりチャットなどタイピングしながら指導する必要が無いので、効率的である。
【００１８】
撮影手段が使用者端末に内蔵されていれば、わざわざ撮影手段を別に用意したり、その撮影手段を別途通信ネットワークに接続する手間を省ける。
【００１９】
比較情報通知手段が運動能力レベルとして通知すれば、利用者の動き（撮像情報）と基準運動能力との差分を観念的に把握することができる。
【００２０】
使用者の身体に複数のマーキングポイントを付けた状態で撮像し比較すれば、利用者の動き（撮像情報）と基準運動能力との差分を正確に算出することができる。また、マーキングポイントを身に着けていることで、利用者が動いた距離、幅、速度、角度等の運動機能を測定することもできる。
【図面の簡単な説明】
【００２１】
【図１】遠隔運動指導システムの通信ネットワークの概念図である。
【図２】利用者端末のブロック図である。
【図３】指導者端末のブロック図である。
【図４】サーバのブロック図である。
【発明を実施するための形態】
【００２２】
本発明の遠隔運動指導システムは、図１に示すように、利用者が使用する利用者端末１０と、利用者の動きを撮影する撮影手段１１と、指導者が使用する指導者端末２０と、種々の情報を記憶・演算・処理するサーバ３０とを有し、これら利用者端末、撮影手段、指導者端末、サーバ、及びこれらに内蔵されている各手段が、それぞれ通信ネットワークＮを介して互いに接続されている。
【００２３】
利用者としては、筋力や体力を維持、回復又は向上したい者や、日常の基本動作を身に着けたい者など、身体の動きに関して専門的知識を有する指導者から指導を受けたい者であれば、老若男女問わず全ての者が対象となる。具体的には、健全者に限らず、怪我人、病人、及び身体障害者等も対象となる。健全者であれば、筋力や体力の低下が顕著な高齢者や、運動不足の中年などに好適である。怪我人、病人、身体障害者であれば、リハビリ用としても使用できる。
【００２４】
指導者としては、運動や身体機能等に関して専門知識を有するものであれば、特に制限は無い。代表的には、医者、理学療法士、作業療法士、及び運動トレーナーなどが挙げられる。
【００２５】
通信ネットワークＮは、インターネットに代表されるＩＰ（Internet Protocol）網と、このＩＰ網にアクセスするための複数のアクセス網とから構成される。アクセス網としては、例えばＤＳＬ（Digital Subscriber Line）や光伝送路を使用する有線加入者網、ＣＡＴＶ（Cable Television）網、無線ＬＡＮ（Local Area Network）網、移動通信網、専用線網が用いられる。
【００２６】
撮影手段１１としては、通信ネットワークＮに接続可能なものであれば特に限定されない。例えば、デジタルビデオカメラ、デジタルカメラ、ウェアラブルカメラのほか、スマートフォンやフィーチャーホンのカメラ機能も使用可能である。これら撮影手段１１は、別個独立して通信ネットワークＮへ直接接続することもできるが、利用者端末１０へ接続し、間接的に通信ネットワークＮへ接続することもできる。特に、利用者端末１０に元々内蔵されている、又は一体化されているカメラが最も好ましい。独自の設定や別個接続する手間が省けることに加え、省スペースであるからである。以下には、撮影手段１１が接続又は内蔵された利用者端末１０を例に挙げて説明する。
【００２７】
利用者端末１０としては、ＰＣ（Personal Computer）、スマートフォン、フィーチャーホンなどが挙げられる。利用者端末１０は利用者の自宅にあることが最も好ましいが、老人ホーム、スポーツセンター、保険センター、又は医療機関など、専用のシステムを構築している自宅外の施設等に設置することもできる。利用者端末１０としてスマートフォン又はフィーチャーホンを使用する場合は、利用者自身のものを使用すると場所を選ばないため、最も手軽である。
【００２８】
そのうえで、利用者端末１０は、図２に示すように、中央処理ユニット（ＣＰＵ：Central Processing Unit）１０１を備える。このＣＰＵ１０１には、プログラムメモリ１０３、通信インターフェイス（通信Ｉ／Ｆ）１０５、カメラインターフェイス（カメラＩ／Ｆ）１０６、表示インターフェイス（表示Ｉ／Ｆ）１０７、音声入出力インターフェイス（音声入出力Ｉ／Ｆ）１０８、及び入力インターフェイス（入力Ｉ／Ｆ）１０９がそれぞれ接続されている。
【００２９】
プログラムメモリ１０３には、利用者端末１０の基幹プログラムに加え、本発明の遠隔運動指導システムに係るアプリケーション・プログラム等が格納されている。このアプリケーション・プログラムは、通信ネットワークＮを介してサーバ３０からダウンロードし、利用者端末１０へインストールされる。又は、当該アプリケーション・プログラムをＣＤ−ＲＯＭやメモリカード等の外部記録媒体から読み込んでインストールすることもできる。
【００３０】
通信Ｉ／Ｆ１０５は、ＣＰＵ１０１の制御の下で、サーバ３０との間で通信ネットワークＮにより規定される通信プロトコルに従って双方向の通信を行う。通信プロトコルとしては、例えばＴＣＰ／ＩＰ（Transmission Control Protocol/Internet Protocol）が使用される。
【００３１】
カメラＩ／Ｆ１０６は、ＣＰＵ１０１の制御の下で、撮影手段１１により撮像された利用者の画像データを取り込む。
【００３２】
表示Ｉ／Ｆ１０７は、ＣＰＵ１０１の制御の下で、撮影手段１１によって撮像された利用者の運動画像データと、サーバ３０から受信された基準運動能力情報とを、同時にディスプレイ１２に表示する。ディスプレイ１２としては、利用者端末１０に内蔵ないし付属するディスプレイでもよいが、別に設けられたテレビジョン受像機やビデオプロジェクタ等を用いてもよい。また、利用者の撮像情報と基準指標動作を、ＡＲ（Augmented Reality  拡張現実）技術を用いて表示すると、リアルな情報として認識できる。
【００３３】
音声入出力Ｉ／Ｆ１０８は、ＣＰＵ１０１の制御の下、利用者の送話音声をマイクロホン１３から取り込むと共に、通話相手となる指導者端末２０から送られた受話音声信号をスピーカ１４から出力する。スピーカ１４は、利用者端末１０に内蔵ないし付属するスピーカでもよいが、別に接続した独立スピーカを用いてもよい。
【００３４】
入力Ｉ／Ｆ）１０９は、ＣＰＵ１０１の制御の下、利用者が利用者端末１０において利用者の年齢、性別、体重などの個人身体情報と共に、運動能力の維持、回復、又は向上などの運動目的と、その目的とする身体部位などを入力デバイス１５によって入力した入力情報を、サーバ３０へ送信する。入力デバイス１５としては、キーボード、マウス、タッチパネル等が挙げられる。
【００３５】
指導者端末２０としても、ＰＣ（Personal Computer）、スマートフォン、フィーチャーホンなどが挙げられる。指導者端末２０も、指導者の自宅、老人ホーム、スポーツセンター、保険センター、又は医療機関などに設置することができ、指導者が最も指導し易い場所に設置すればよい。指導者端末２０としてスマートフォン又はフィーチャーホンを使用すれば、場所を選ばないため最も手軽である。
【００３６】
指導者端末２０は、中央処理ユニット（ＣＰＵ：Central Processing Unit）２０１を備える。このＣＰＵ２０１には、プログラムメモリ２０３、通信インターフェイス（通信Ｉ／Ｆ）２０５、表示インターフェイス（表示Ｉ／Ｆ）２０７、及び音声入出力インターフェイス（音声入出力Ｉ／Ｆ）２０８がそれぞれ接続されている。
【００３７】
プログラムメモリ２０３には、指導者端末２０の基幹プログラムに加え、本発明の遠隔運動指導システムに係るアプリケーション・プログラム等が格納されている。このアプリケーション・プログラムは、通信ネットワークＮを介してサーバ３０からダウンロードし、指導者端末２０へインストールされる。又は、当該アプリケーション・プログラムをＣＤ−ＲＯＭやメモリカード等の外部記録媒体から読み込んでインストールすることもできる。
【００３８】
通信Ｉ／Ｆ２０５は、ＣＰＵ２０１の制御の下で、サーバ３０との間で通信ネットワークＮにより規定される通信プロトコルに従って双方向の通信を行う。通信プロトコルとしては、例えばＴＣＰ／ＩＰ（Transmission Control Protocol/Internet Protocol）が使用される。
【００３９】
表示Ｉ／Ｆ２０７は、ＣＰＵ２０１の制御の下で、撮影手段１１によって撮像された利用者の運動画像データと、サーバ３０から受信された基準運動能力情報とを、同時にディスプレイ２２に表示する。ディスプレイ２２としては、指導者端末２０に内蔵ないし付属するディスプレイでもよいが、別に設けられたテレビジョン受像機やビデオプロジェクタ等を用いてもよい。また、利用者の撮像情報と基準指標動作を、ＡＲ（Augmented Reality  拡張現実）技術を用いて表示すると、リアルな情報として認識できる。
【００４０】
音声入出力Ｉ／Ｆ２０８は、ＣＰＵ２０１の制御の下、指導者の送話音声をマイクロホン２３から取り込むと共に、通話相手となる利用者端末１０から送られた受話音声信号をスピーカ２４から出力する。スピーカ２４は、指導者端末２０に内蔵ないし付属するスピーカでもよいが、別に接続した独立スピーカを用いてもよい。
【００４１】
接続されたサーバ３０も、ＣＰＵ３０１を備える。このＣＰＵ３０１には、プログラムメモリ３０３、データメモリ３０４、通信インターフェイス（通信Ｉ／Ｆ）３０５が接続されている。
【００４２】
プログラムメモリ３０３には、本発明の遠隔運動指導システムに係るアプリケーション・プログラム３０３ａと、情報比較プログラム３０３ｂが記憶されている。アプリケーション・プログラム３０３ａは、ＣＰＵ３０１の制御の下で、撮影手段１１から送信された利用者の撮像情報、サーバ３０に格納された基準運動能力情報、及び情報比較プログラム３０３ｂによって算出された比較情報を、利用者端末１０と指導者端末２０へ同時に配信する。
【００４３】
情報比較プログラム３０３ｂは、ＣＰＵ３０１の制御の下、撮影手段１１から送信された利用者の撮像情報とサーバ３０に格納された基準運動能力情報とを比較し、その差分を算出する。その比較方法としては、例えば利用者の撮像情報及び基準指標動作をそれぞれメッシュ状に細分化（座標化）し、これらの座標ごとに比較してその差分を算出する。座標としては、例えば頭、首、手、肩、足、膝、腰など、できるだけ細分化して細かく取ることが好ましい。なお、利用者は、身体に複数のマーキングポイントを身に着けておき、情報比較プログラム３０３ｂはこのマーキングポイントの動きに基づいて差分を算出すると、精度よく算出できる。
【００４４】
また、情報比較プログラム３０３ｂは、利用者の撮像情報に対し、基準指標動作を示す模擬人物像をＣＧ（Computer Graphic）技術等を用いて利用者の撮像情報と身長や体型とできるだけ一致させる。
【００４５】
データメモリ３０４は、ハードディスクやフラッシュメモリ、ＲＡＭ等を記憶媒体として使用したもので、基準運動能力情報が記憶されている。基準運動能力情報には、運動能力の維持、回復、向上など目的に応じた所定の動作に関する基準指標動作と共に、情報比較プログラム３０３ｂによって得られた利用者の動き（撮像情報）と基準指標動作との差分から求められる運動レベル等が記憶されている。基準指標動作や運動レベルは、年齢や性別に応じて複数種記憶されている。
【００４６】
通信Ｉ／Ｆ３０５は、ＣＰＵ３０１の制御の下で、利用者端末１０と指導者端末２０との間で通信ネットワークＮにより規定される通信プロトコルに従って画像情報や音声情報等の各情報の双方向通信を行う。通信プロトコルとしては、例えばＴＣＰ／ＩＰ（Transmission Control Protocol/Internet Protocol）が使用される。
【００４７】
次に、遠隔運動指導システムの使用方法について説明する。この遠隔運動指導システムを利用する場合、利用者は利用者端末１０において専用アプリケーションを起動する。すると、ＣＰＵ１０１がブラウザを起動してプログラムメモリ１０３から利用者端末１０のディスプレイ１２に個人データ入力画面を表示する。そして、この個人データ入力画面へ入力デバイス１５を介して自身の性別や年齢、利用目的、及び動作部位などを入力する。すると、ＣＰＵ１０１がこれらの入力情報を通信Ｉ／Ｆ１０５から通信ネットワークＮを介してサーバ３０へ送信する。同時に、指導者端末２０には、利用者端末１０が起動されたことが通信ネットワークＮを介して通知され、指導者も指導者端末２０において専用アプリケーションを起動しておく。
【００４８】
利用者の個人情報等がサーバ３０へ入力されると、これに応じた基準指標動作がデータメモリ３０４から取り出され、その初期静止姿勢が利用者端末１０及び指導者端末２０の双方へ通信ネットワークＮを介して送信され、利用者端末１０及び指導者端末２０の各ディスプレイ１２・２２に表示される。このとき、利用者画像は実像として表示され、基準指標動作は模擬人間像として表示されるが、利用者画像や基準指標動作像は、イラスト化して表示することも好ましい。
【００４９】
遠隔運動指導システムにおいて行う動作は、健全者が筋力増強を目的とした一般的な筋力トレーニングではなく、日常生活における基本的な動作である。具体的には、行歩、前屈、腕の上げ下げ、膝の上げ下げ、片足立ちなどの動作をした場合の、歩幅、歩速、柔軟性、平衡感覚などを指標とする。
【００５０】
そして、利用者が利用者端末１０においてスタートを押すと、利用者端末１０及び指導者端末２０に表示されている基本動作が動き出す。そこで、利用者も、この基本動作と同じ動きをする。このとき、利用者の動きは撮影手段１１によって撮影しながら行う。これにより、その撮像情報がカメラＩ／Ｆ１０６から入力されて利用者端末１０のディスプレイ１２に表示されると同時に、通信ネットワークＮを介して指導者端末２０のディスプレイ２２にも表示される。このとき、利用者の動作（撮像情報）と基準指標動作は、上下又は左右二画面で表示することもできるが、重ね合わせた状態で表示されることが好ましい。また、ＡＲ（拡張現実）空間上に表示することがより好ましい。
【００５１】
このように、利用者端末１０と指導者端末２０には、利用者の動作と基準指標動作が同時に表示されるので、利用者は自分の動きを確認しならが基準指標動作と同じ動きをすることができる。また、利用者及び指導者は、利用者の動作と基準指標動作とのズレ具合の程度を目視によって確認することができる。
【００５２】
さらに、利用者の動作がサーバ３０に入力されると、サーバ３０では、情報比較プログラム３０３ｂによって、利用者の動作と基準指標動作とが比較対比される。そして、利用者の動作と基準指標動作とにズレがあれば、その差分を検出し、その程度を数値化して利用者端末１０及び指導者端末２０へ表示する。これにより、利用者及び指導者は、利用者の動作と基準指標動作とのズレを数値によって確認することもできる。
【００５３】
そのうえで、指導者は指導者端末２０を通して遠隔地から利用者の動作をリアルタイムで確認でき、運動中でも音声通話によって利用者に動作のアドバイス指導を行うことができる。これにより、利用者は、運動能力の維持や回復などの実効性を上げることができる。
【００５４】
そして、所定時間運動を行ったら基準指標動作が停止するので、利用者も運動を止める。すると、サーバ３０では運動中における利用者の動作と基準指標動作との差分数値を平均化し、その数値に基づき利用者の現状における運動能力レベルを利用者端末１０及び指導者端末２０へ表示する。運動能力レベルの表示例としては、例えば標準より大きく劣る場合をレベル１、標準よりやや劣る場合をレベル２、標準的なレベルであればレベル３、標準よりやや優れる場合をレベル４、標準より大幅に優れる場合をレベル５とするなど、複数段階に分けた数値レベルで表示することができる。又は、優、良、可、やや不可、不可など、優劣レベルで表示することもできる。さらには、優れている場合はブルー、標準的であればグリーン、劣っていればレッドなど、色で表示することもできる。また、体力年齢など仮想年齢として表示することもできる。
【００５５】
また、利用者が身体に複数のマーキングポイントを身に着けていた場合は、このマーキングポイントの動きを検知することで、利用者が動いた距離、幅、速度、角度等の運動機能が測定され、その測定結果も利用者端末１０及び指導者端末２０に表示される。
【００５６】
このように、運動後には運動能力レベルや運動機能の測定結果も参考にしながら、指導者は、利用者に対して今後の課題、日常生活において気をつけること、どの部位を重点的に動かすかなど、次回の運動までのアドバイスや指導、対策等も行うことができる。
【００５７】
指導者による指導が一通り終わったら、最後に利用者端末１０及び指導者端末２０においてアプリケーションをＯＦＦにすることで、そのときの運動は終了する。そして、この遠隔運動指導システムを定期的に繰り返し行うことで、利用者は筋力や体力などの運動能力の維持、回復、向上などを図ることができる。定期的に行う頻度としては、毎日決まった時間に行うことが好ましいが、二日に１回、三日に１回、一週間に１回など、数日置きに行ってもよい。
【符号の説明】
【００５８】
１０  利用者端末
１１  撮影手段
２０  指導者端末
３０  サーバ
１０１・２０１・３０１  ＣＰＵ
１０３・２０３・３０３  プログラムメモリ
１０５・２０５・３０５  通信インターフェイス
１０６  カメラインターフェイス
１０７・２０７  表示インターフェイス
１０８・２０８  音声入出力インターフェイス
１０９  入力インターフェイス
１２・２２  ディスプレイ
１３・２３  マイクロホン
１４・２４  スピーカ
１５  入力デバイス
Ｎ  通信ネットワーク
【図１】
2019109612.tif 000003
【図２】
2019109612.tif 000004
【図３】
2019109612.tif 000005
【図４】
2019109612.tif 000006